(57)【要約】【課題】小型で、しかも哺乳瓶内部を容易かつ確実に洗浄することができる哺乳瓶洗浄具を提供する。【解決手段】哺乳瓶洗浄具１は、筒状の投入部材２の一側に刷毛部３を設けてなる。ユーザは哺乳瓶洗浄具１を哺乳瓶Ｂ内部へ投入し（矢符５３）、水を用いて、哺乳瓶洗浄具１入りの哺乳瓶Ｂを振り洗う。哺乳瓶Ｂの洗浄後、ユーザは哺乳瓶Ｂを天地逆転させて哺乳瓶洗浄具１を哺乳瓶Ｂ内部から取り出す（矢符５４）。哺乳瓶洗浄具１は哺乳瓶Ｂ内部へ投入可能な小型サイズである。刷毛部３は異形断面繊維を用いてなり、また、哺乳瓶Ｂの内面形状に応じて自在に変更するため、洗剤を用いることなく、哺乳瓶Ｂ内面を容易かつ確実に洗浄する。【選択図】図４
2007289579.tif 000002
【特許請求の範囲】
【請求項１】
哺乳瓶内部へ投入される投入部材と、
該投入部材と共に前記哺乳瓶内部へ投入されるために前記投入部材に設けられ、長手方向に沿う突条部を有する繊維からなる刷毛部と
を備えることを特徴とする哺乳瓶洗浄具。
【請求項２】
前記刷毛部を束縛する環状部材を着脱自在に備えることを特徴とする請求項１に記載の哺乳瓶洗浄具。
【請求項３】
前記投入部材は、一側に開口を有する有底筒状であり、
前記刷毛部は、前記繊維の一端側が前記開口に挿通されて前記投入部材の内部に固定されていることを特徴とする請求項１又は２に記載の哺乳瓶洗浄具。
【発明の詳細な説明】
【技術分野】
【０００１】
本発明は、特に哺乳瓶の内面を洗浄する場合に便利な哺乳瓶洗浄具に関する。
【背景技術】
【０００２】
従来の哺乳瓶洗浄具は、一般的なコップ洗浄具のような柄付きブラシ形態を有する。柄付きブラシ形態の哺乳瓶洗浄具は、ユーザが把持する棒状の柄の一端に、哺乳瓶に挿入されて哺乳瓶の内面を洗浄するスポンジ、不織布等を用いてなるブラシが設けられている。
【０００３】
また、哺乳瓶に挿入されて哺乳瓶の内面を洗浄するシリコン製のブラシと、このブラシを哺乳瓶内部で回転させるために、哺乳瓶外部でユーザが回転操作する取っ手とを備える哺乳瓶洗浄具が提案されている（特許文献１参照）。
【特許文献１】特許第３７２２７９９号公報
【発明の開示】
【発明が解決しようとする課題】
【０００４】
しかしながら、柄付きブラシ形態の哺乳瓶洗浄具は、柄を備えるため大型である。
また、特許文献１に開示されている哺乳瓶洗浄具は取っ手を備えるため大型である。
【０００５】
しかも、以上のような従来の哺乳瓶洗浄具は、スポンジ、不織布、シリコン等を用いてなるブラシを保形して支持する支持部材を備えるため大型である。
また、保形されたブラシの形状が哺乳瓶内面の形状に完全に対応していない場合はブラシと哺乳瓶内面との接触が不足し、このため洗浄不足が生じることがある。
【０００６】
本発明は斯かる事情に鑑みてなされたものであり、その主たる目的は、投入部材に刷毛部を設けて哺乳瓶内部へ投入する構成とすることにより、小型で、しかも哺乳瓶内部を容易かつ確実に洗浄することができる哺乳瓶洗浄具を提供することにある。
【０００７】
本発明の他の目的は、環状部材で着脱自在に刷毛部を束縛する構成とすることにより、更にコンパクトなサイズにして収納することができる哺乳瓶洗浄具を提供することにある。
【０００８】
本発明の更に他の目的は、有底筒状の投入部材の内部に一端側が固定された刷毛部を設けて哺乳瓶内部へ投入する構成とすることにより、簡易な形状の哺乳瓶洗浄具を提供することにある。
【課題を解決するための手段】
【０００９】
第１発明に係る哺乳瓶洗浄具は、哺乳瓶内部へ投入される投入部材と、該投入部材と共に前記哺乳瓶内部へ投入されるために前記投入部材に設けられ、長手方向に沿う突条部を有する繊維からなる刷毛部とを備えることを特徴とする。
【００１０】
第２発明に係る哺乳瓶洗浄具は、前記刷毛部を束縛する環状部材を着脱自在に備えることを特徴とする。
【００１１】
第３発明に係る哺乳瓶洗浄具は、前記投入部材は、一側に開口を有する有底筒状であり、前記刷毛部は、前記繊維の一端側が前記開口に挿通されて前記投入部材の内部に固定されていることを特徴とする。
【発明の効果】
【００１２】
第１発明の哺乳瓶洗浄具による場合、ユーザは、刷毛部が設けられた投入部材を、哺乳瓶内部へ投入し、例えば哺乳瓶を適宜に揺することによって、被洗浄部である哺乳瓶内面を洗浄する。
【００１３】
つまり、本発明の哺乳瓶洗浄具は、哺乳瓶内部に投入可能な小型サイズである。しかも刷毛部は保形されていないため、刷毛部の形状は哺乳瓶内面の形状に応じて自在に変形する。即ち、哺乳瓶内部の形状に関わらず、刷毛部は哺乳瓶内面に充分に接触する。
更に刷毛部は、その長手方向に沿う突条部を有する繊維、即ち異形断面繊維からなり、刷毛部と哺乳瓶内面との摩擦力は、通常の円形断面繊維からなる刷毛部と哺乳瓶内面との摩擦力より大きい。
【００１４】
以上の結果、本発明の哺乳瓶洗浄具は哺乳瓶内面の汚れを落とし易く、汚損が激しい哺乳瓶内面の洗浄に適しており、更に、汚損が少ない哺乳瓶内面に対しては、洗剤の使用量を低減可能である。
【００１５】
第２発明の哺乳瓶洗浄具による場合、哺乳瓶を洗浄しないときは環状部材を装着して刷毛部を束縛することによって、刷毛部をコンパクトにまとめることができる。つまり、小型の哺乳瓶洗浄具を更に小型にして収納を容易にすることができる。
一方、哺乳瓶を洗浄するときは環状部材を離脱させて刷毛部の束縛を解放することができるため、哺乳瓶洗浄具の使用／不使用によって哺乳瓶洗浄具の形態を自在に変更することができ、ユーザの利便性を向上させることができる。
【００１６】
第３発明の哺乳瓶洗浄具による場合、その一側に開口を有する有底筒状の投入部材の前記一側に刷毛部が設けられている。具体的には、刷毛部を構成している繊維の一端側が投入部材の開口に挿通されて投入部材の内部に固定されている。つまり、哺乳瓶洗浄具は簡易な形状であり、製造が容易である。
【発明を実施するための最良の形態】
【００１７】
以下、本発明を、その実施の形態を示す図面に基づいて詳述する。
【００１８】
図１は、本発明に係る哺乳瓶洗浄具１の構成を示す正面図である。
図２は、哺乳瓶洗浄具１が備える刷毛部３に環状部材４を装着した状態を示す斜視図である。
図３は、刷毛部３を形成する異形断面繊維３１の斜視図である。
図１及び図２に示すように、哺乳瓶洗浄具１は、投入部材２及び刷毛部３を備える。
【００１９】
投入部材２は、合成樹脂を用いてなり、一側に開口を有する有底筒状である。投入部材２は、哺乳瓶Ｂ（図４参照）内部へ投入されるため、哺乳瓶Ｂ内部のサイズよりも充分に小さいサイズを有する。また、投入部材２は、ガラス製、合成樹脂製等の哺乳瓶Ｂに当接した場合に哺乳瓶Ｂを損傷しない程度の硬度を有する。
投入部材２の他側（有底筒状の底側）には、哺乳瓶洗浄具１の不使用時に哺乳瓶洗浄具１を吊り下げて乾かし、また、保管するための吊り紐６が設けられている。
【００２０】
刷毛部３は、投入部材２の一側に設けられている。
刷毛部３はポリエステル１００％であり、図３に示すような異形断面繊維３１を複数本縒り合わせてなる毛糸状の洗浄毛３０，３０，…複数本からなる。
洗浄毛３０，３０，…は、一端（基端）側が投入部材２の開口に挿通されて投入部材２の内部に固定されている固定端であり、他端（先端）側が自由端である。各洗浄毛３０は、投入部材２と共に哺乳瓶Ｂ内部へ投入されるために、哺乳瓶Ｂ内部のサイズに対して必要充分な長さ（短さ）を有する。
【００２１】
図３に示すように、異形断面繊維３１は、その断面の周方向位置に、その長手方向に沿う４本の尖鋭な突条部３１ａ，３１ａ，…を有する。具体的には、異形断面繊維３１は、四辺が凹状の略菱形の断面を有し、このため、四辺が直線状の略菱形の断面を有する異形断面繊維よりも、突条部３１ａ，３１ａ，…が更に鋭く尖っている。なお、異形断面繊維３１の断面形状は、菱形に限らず、各種多角形、星型等でも良い。
【００２２】
異形断面繊維３１からなる刷毛部３と哺乳瓶Ｂ内面との摩擦力は、例えば通常の円形断面繊維又は四辺が直線状の略菱形の断面を有する異形断面繊維からなる刷毛部と哺乳瓶Ｂ内面との摩擦力よりも大きい。
以上のような刷毛部３は、刷毛部３内に空気を含み易いため濡れた後の乾燥が早い。
【００２３】
図２に示すように、合成樹脂を用いてなる環状部材４は、環状部材４の内径が、投入部材２の外径よりも大きく、軽く束ねられた刷毛部３の外径よりも小さい。
刷毛部３は、他部材との接触による変形、静電気等によって図１のように傘状に広がる。環状部材４は、このように大きく広がった刷毛部３を図２のように軽く束ねて哺乳瓶洗浄具１をコンパクトにするために用いられる。
【００２４】
ユーザは、投入部材２を環状部材４内へ挿入するようにして、環状部材４を投入部材２側から押し入れる（矢符５１）ことによって、環状部材４を刷毛部３に取り付ける。
この場合、環状部材４は、刷毛部３を束縛し、刷毛部３が傘状に広がろうとする弾性及び摩擦によって刷毛部３に固定される。
即ち、環状部材４は刷毛部３に完全に固定されていないため着脱自在である。
【００２５】
哺乳瓶Ｂを洗浄する場合、ユーザは、刷毛部３に取り付けられた環状部材４を刷毛部３の先端側から引き抜く（矢符５２）ことによって、環状部材４を刷毛部３から取り外す。なお、刷毛部３に取り付けられた環状部材４を投入部材２側から引き抜いてもよい。
【００２６】
図４は、哺乳瓶洗浄具１の使用方法を示す説明図である。
ユーザは、環状部材４を取り外した状態の哺乳瓶洗浄具１を、刷毛部３側から哺乳瓶Ｂ内部へ投入する（矢符５３）。この場合、投入部材２は小型であり、刷毛部３は容易に変形するため、一般的な哺乳瓶Ｂの開口から内部へ容易に投入可能である。
【００２７】
ユーザは、哺乳瓶Ｂ内部に水を投入し、哺乳瓶洗浄具１と水とが哺乳瓶Ｂに収容されている状態で哺乳瓶Ｂを上下、左右等に揺することによって哺乳瓶Ｂ内面を振り洗う。こうすることによって、哺乳瓶Ｂ内面との接離を繰り返す刷毛部３が、高い摩擦力によって自動的に哺乳瓶Ｂ内面を確実に洗浄する。つまり、哺乳瓶洗浄具１を用いた哺乳瓶Ｂ内面の洗浄作業は非常に容易である。
【００２８】
哺乳瓶Ｂ内面の洗浄完了後、ユーザは哺乳瓶Ｂを天地逆転させる。この場合、哺乳瓶Ｂの開口から、哺乳瓶Ｂ内部に収容されていた哺乳瓶洗浄具１及び水が外部へ排出される（矢符５４）。哺乳瓶洗浄具１の投入時と同様に、排出時も、小型で硬質の投入部材２は哺乳瓶Ｂの開口から容易に排出され、変形し易い刷毛部３も投入部材２に連続して排出される。仮に、哺乳瓶Ｂの開口に刷毛部３が引っ掛かった場合でも、ユーザが投入部材２を摘持して引き出すことによって、容易に排出される。
このようにして使用した哺乳瓶洗浄具１は、例えばフック（不図示）に吊り紐６を掛止することによって哺乳瓶洗浄具１をフックに吊り下げ、濡れた哺乳瓶洗浄具１を速やかに乾燥させ、また、そのまま保管することもできる。
【００２９】
以上のような哺乳瓶洗浄具１は、簡易な形状であるため製造が容易である。
しかも、哺乳瓶Ｂ内部に投入可能な小型サイズであるため、哺乳瓶Ｂ内部の深さ、内径等、哺乳瓶Ｂのサイズに関わらず、容易に哺乳瓶Ｂ内面を洗浄することができる。
また、哺乳瓶洗浄具１は刷毛部３を保形して支持する支持部を備えないため、刷毛部３の形状は、哺乳瓶Ｂ内部の壁面、底面、壁面と底面との境界等、哺乳瓶Ｂ内面の形状に応じて自在に変形する。このため、刷毛部３は哺乳瓶Ｂ内面に充分に接触し、哺乳瓶内面を確実に洗浄することができる。
【００３０】
更に、哺乳瓶洗浄具１は、例えば柄付きブラシ形態の哺乳瓶洗浄具が備えるような柄、又は特許文献１に開示されている哺乳瓶洗浄具が備えるような取っ手を備えず、刷毛部３を支持する支持部も備えない。このため、哺乳瓶洗浄具１は小型軽量であり、特に、外出時の形態の利便性が高い。
更にまた、環状部材４の着脱によって、哺乳瓶洗浄具１の使用／不使用に応じて哺乳瓶洗浄具１の形態を洗浄用／収納用に自在に変更することができる。
【００３１】
なお、哺乳瓶洗浄具１を用いて哺乳瓶Ｂの外面を洗浄してもよく、哺乳瓶Ｂに取り付けられる乳首を洗浄してもよい。
また、本実施の形態においては水での洗浄を例示したが、この水は冷水でも温水（湯）でもよく、洗剤を含んでいてもよい。ただし、哺乳瓶Ｂ内部の汚損が激しい場合以外は、異形断面繊維３１の作用によって、洗剤を用いることなく哺乳瓶Ｂを充分に洗浄可能である。
更に、刷毛部３側から哺乳瓶Ｂ内部へ哺乳瓶洗浄具１を投入しても問題はない。
【００３２】
更にまた、本発明の哺乳瓶洗浄具の投入部材は一側に開口を有する有底筒状に限るものではなく、柱状、立方体状、球状等でもよい。また、刷毛部は投入部材に植毛されていてもよい。更に、刷毛部は投入部材の一部に設けられていてもよく、全部に設けられていてもよい。更にまた、投入部材及び刷毛部の材質も、合成樹脂及びポリエステルに限るものではない。
【図面の簡単な説明】
【００３３】
【図１】本発明に係る哺乳瓶洗浄具の構成を示す正面図である。
【図２】本発明に係る哺乳瓶洗浄具が備える刷毛部に環状部材を装着した状態を示す斜視図である。
【図３】本発明に係る哺乳瓶洗浄具が備える刷毛部を形成する異形断面繊維の斜視図である。
【図４】本発明に係る哺乳瓶洗浄具の使用方法を示す説明図である。
【符号の説明】
【００３４】
１    哺乳瓶洗浄具
２    投入部材
３    刷毛部
３１  異形断面繊維（繊維）
３１ａ  突条部
４    環状部材
Ｂ    哺乳瓶
【図１】
2007289579.tif 000003
【図２】
2007289579.tif 000004
【図３】
2007289579.tif 000005
【図４】
2007289579.tif 000006